(57)【要約】      （修正有）【課題】壁面に生じる凹凸が是正された新規な間仕切り構造、間仕切り構造を備えたブース、間仕切り構造の構築の際に用いられる軒形成部材、及び布体を提供する。【解決手段】一のポール２と他のポール２との間を複数本のビーム３で架橋して形成された枠体Ｆの一面側が布体４にて覆われることによって壁面が構築されてなる間仕切り構造１において、枠体Ｆの最上部を構成するビーム３の長さ方向に沿って枠体Ｆの一面側に向かって張り出す軒部５０を設け、軒部５０の軒先によって布体４の上部背面を支持することによって、壁面を前記枠体Ｆから離間させる。【選択図】図１
2020041382.tif 000002
【特許請求の範囲】
【請求項１】
長さ方向に沿って複数条の連結溝が設けられたポールと、
両端の連結部が前記連結溝に差し込まれることによって前記ポールと連結される仕組みとなされたビームと、を具備し、
一のポールと他のポールとの間を複数本のビームで架橋することによって枠体が形成され、前記枠体の一面側が布体で覆われることによって壁面が構築されてなる間仕切り構造であって、
前記壁面が前記枠体から離間するように、
前記枠体の最上部を構成するビームの長さ方向に沿って前記枠体の一面側に向かって張り出す軒部が設けられてなり、
前記軒部の軒先によって前記布体の上部背面が支持されてなることを特徴とする間仕切り構造。
【請求項２】
請求項１に記載の間仕切り構造において、
更に、前記枠体の最下部を構成するビームの長さ方向に沿って、前記枠体の一面側に向かって張り出す軒部が設けられてなり、
前記軒部の軒先によって、前記布体の下部背面が支持されてなる間仕切り構造。
【請求項３】
請求項１又は２に記載の間仕切り構造において、
前記軒部の表面に設けられた面ファスナと、前記布体の背面に設けられた面ファスナとの貼着によって、前記枠体に前記布体が取り付けられてなる間仕切り構造。
【請求項４】
請求項１ないし３のいずれか１項に記載の間仕切り構造において、
前記布体の両側端部に沿って爪部が設けられてなり、前記連結溝に前記爪部が差し込まれてなる間仕切り構造。
【請求項５】
請求項１ないし4のいずれか1項に記載の間仕切り構造を備えたことを特徴とするブース。
【請求項６】
請求項１ないし４のいずれか１項に記載の間仕切り構造の軒部を形成するための軒形成部材であって、
前記ビームの長さ方向に沿って設けられた溝部に差し込まれる脚部と、
前記脚部の上部に設けられた軒部と、
を具備してなることを特徴とする軒形成部材。
【請求項７】
請求項１ないし４のいずれか１項に記載の間仕切り構造の壁面を形成するための布体であって、
両側端部に沿って前記連結溝に差し込むための爪部が設けられてなることを特徴とする布体。
【発明の詳細な説明】
【技術分野】
【０００１】
本発明は、イベント会場の設営等に用いられる間仕切り構造、前記間仕切り構造を備えたブース、前記間仕切り構造の構築の際に用いられる軒形成部材及び布体に関する。
【背景技術】
【０００２】
見本市会場や展示会場などの各種イベントを開催するにあたっては、商品の展示や説明等を行うための場所（ブース）を設営するために、イベント会場内の空間が間仕切りによって区画される。前記ブースは、その設営方法の違いによって、「木工ブース」と「システムブース」との二種類に大別することができる。
【０００３】
前記木工ブースは、所望の形状に加工された木工パネル等を組んで設営されたブースであり、デザイン設計の自由度が高いため、ブースのオリジナリティや他のブーストの差別化を図る点において非常に効果的なものとなる。しかしながら、前記木工ブースは施工費用が高く、しかも、一度使用した木工パネルはイベント終了後に廃材となるため再利用に供することができない。
【０００４】
一方、前記システムブースは、ポール（支柱）、ビーム（梁）及びパネル（羽目板）の各パーツを適宜組み合わせて設営されたブースである。前記システムブースは、前記木工ブースに比べて施工費用が安く、イベントの終了後は各パーツに解体し、再利用に供することができる。現在、前記システムブースを設営するための間仕切り構造としては、下記特許文献１に開示された枠組み組み立てセットが多く使用されている。
【先行技術文献】
【特許文献】
【０００５】
【特許文献１】特開昭５６−５９００９号公報
【発明の開示】
【発明が解決しようとする課題】
【０００６】
上記特許文献１に開示された枠組み組み立てセットは、ポールの長さ方向に沿って設けられた連結溝にビームの両端部に設けられた連結部を差し込んで枠体を形成し、前記枠体を構成するビームに設けられた溝部にパネルをはめ込むことによって壁面を構築する。
【０００７】
しかしながら、上記特許文献１に開示された枠組み組み立てセットを用いて構築された間仕切り構造では、前記壁面を構成するビームやパネルよりポールが嵩高いため、ポールの存する部分が壁面から突出する。ブースの壁面はポスター等の掲示面でもあり、ポールの嵩によって壁面に生じた凹凸はブースの外観を損なうばかりか、ポールを跨いで掲示された大型のポスターに波うちや傾きを生じさせる。
【０００８】
本発明は前記技術的課題に鑑みて開発されたものであり、壁面に生じる凹凸が是正された新規な間仕切り構造、前記間仕切り構造を備えたブース、前記間仕切り構造の構築の際に用いられる軒形成部材及び布体を提供することを目的とする。
【課題を解決するための手段】
【０００９】
前記技術的課題を解決するための本発明の間仕切り構造は、長さ方向に沿って複数条の連結溝が設けられたポールと、両端の連結部が前記連結溝に差し込まれることによって前記ポールと連結される仕組みとなされたビームと、を具備し、一のポールと他のポールとの間を複数本のビームで架橋することによって枠体が形成され、前記枠体の一面側が布体で覆われることによって壁面が構築されてなる間仕切り構造であって、前記壁面が前記枠体から離間するように、前記枠体の最上部を構成するビームの長さ方向に沿って前記枠体の一面側に向かって張り出す軒部が更に設けられてなり、前記軒部の軒先によって前記布体の上部背面が支持されてなることを特徴とする（以下、「本発明間仕切り構造」と称する。）。
【００１０】
前記本発明間仕切り構造においては、更に、前記枠体の最下部を構成するビームの長さ方向に沿って、前記枠体の一面側に向かって張り出す軒部が設けられてなり、前記軒部の軒先によって、前記布体の下部背面が支持されてなるものが好ましい態様となる。
【００１１】
前記本発明間仕切り構造においては、前記軒部の表面に設けられた面ファスナと、前記布体の背面に設けられた面ファスナとの貼着によって、前記枠体に前記布体が取り付けられてなるものが好ましい態様となる。
【００１２】
前記本発明間仕切り構造においては、前記布体の両側端部に沿って爪部が設けられてなり、前記連結溝に前記爪部が差し込まれてなるものが好ましい態様となる。
【００１３】
前記技術的課題を解決するための本発明のブースは、前記間仕切り構造を備えたことを特徴とする（以下、「本発明ブース」と称する。）。
【００１４】
前記技術的課題を解決するための本発明の軒形成部材は、前記本発明間仕切り構造の軒部を形成するための軒形成部材であって、前記ビームの長さ方向に沿って設けられた溝部に差し込まれる脚部と、前記脚部の上部に設けられた軒部と、を具備してなることを特徴とする（以下、「本発明軒形成部材」と称する。）。
【００１５】
前記技術的課題を解決するための本発明の布体は、前記本発明間仕切り構造の壁面を形成するための布体であって、両側端部に前記連結溝に差し込むための爪部が設けられてなることを特徴とする。
【発明の効果】
【００１６】
本発明間仕切り構造によれば、設営された本発明ブースの壁面に凹凸が生じることを是正することができる。又、本発明軒形成部材や本発明の布体によれば、前記本発明間仕切り構造の構築が容易になる。
【図面の簡単な説明】
【００１７】
【図１】図１は、本発明間仕切り構造の一実施形態を示す分解斜視図である。
【図２】図２は、本発明ブースの一実施形態を示す斜視図である。
【図３】図３は、ポールを示す斜視図（ａ）と、上面図（ｂ）である。
【図４】図４は、ビームを示す斜視図（ａ）と、側面図（ｂ）である。
【図５】図５は、枠体を示す上面図である。
【図６】図６は、枠体を示す分解斜視図（ａ）と、断面図（ｂ）である。
【図７】図７は、前記本発明間仕切り構造を示す斜視図（ａ）と、断面図（ｂ）である。
【図８】図８は、別の実施形態に係る枠体を示す斜視図（ａ）と、本発明間仕切り構造を示す斜視図（ｂ）である。
【発明を実施するための形態】
【００１８】
以下、本発明の実施形態を、図面を参照しながら説明するが、本発明はこれらの実施形態に限定されるものではない。
【００１９】
＜本発明間仕切り構造１、本発明ブース１０＞
図１に、本発明間仕切り構造１の一実施形態を示す。前記本発明間仕切り構造１は、図２に示す本発明ブース１０を設営するための構造躯体であり、「ポール（２）」と、「ビーム（３）」、「布体（４）」と、を具備する。本発明間仕切り構造１では、前記ポール２と前記ビーム３とによって枠体Ｆ（図１参照）を形成し、前記枠体Ｆの前面を前記布体４によって覆うことによって壁面Ｗ（図２参照）を構築する。
【００２０】
‐ポール２‐
図３（ａ）、（ｂ）に、本実施形態において用いたポール２を示す。前記ポール２は、長さ方向に沿って複数条の連結溝２０が設けられた柱体である。前記ポール２は、前記本発明間仕切り構造１の支柱となる役割を担っており、主として、本発明ブース１０を設営する際の「隅柱（又は隅柱に準ずる柱）」となる位置に立設される。本実施形態においては前記ポール２として、外径（Ｘ）４０ｍｍの略円柱（八角柱）状の全体形状を有してなり、その長さ方向に沿って蟻溝（溝入口幅（Ｙ）４．３ｍｍ、深さ（Ｚ）１０ｍｍ）となされた連結溝２０が放射状に合計八条設けられているものを用いた。
【００２１】
‐ビーム３‐
図４（ａ）、（ｂ）に、本実施形態において用いたビーム３を示す。図５に示すように、前記ビーム３は、両端の連結部３０が前記連結溝２０に差し込まれることによって前記ポール２と連結される仕組みとなされている。隣接するポール２（一のポール２と他のポール２）の間を複数本の前記ビーム３にて架橋すれば、前記枠体Ｆが形成される。本実施形態においては前記ビーム３として、平板状（厚さ（Ａ）１６ｍｍ、幅（Ｂ）５０ｍｍ）の全体形状を有してなり、その長さ方向に沿って蟻溝（溝入口幅（Ｃ）４．３ｍｍ、深さ（Ｄ）１０ｍｍ）となされた溝部３１が、表面と下面に一条ずつ設けられているものを用いた。
【００２２】
‐布体４‐
前記布体４は、前記枠体Ｆの一面側を覆うことによって前記壁面Ｗを構築する役割を担う。本実施形態においては、前記布体４として、両側端縁部に沿って背面に向かって突出するシリコン製の爪部４２が設けられてなるもの（本発明の布体）を用いた（図１参照）。なお、前記布体４には、更に、背面上端縁部に沿って面ファスナ（以下、「布体側面ファスナ」と称する。）４１が設けられている。
【００２３】
図６（ａ）、（ｂ）に示すように、本発明間仕切り構造１においては、更に、前記枠体Ｆの最上部を構成するビーム３の長さ方向に沿って、前記枠体Ｆの一面側に向かって張り出す軒部５０が設けられる。本実施形態においては、前記ビーム３に対して前記軒部５０を設けるにあたり、「本発明軒形成部材５」を用いた。
【００２４】
＜本発明軒形成部材５＞
前記本発明軒形成部材５は、「脚部（５１）」と、「軒部（５０）」とを具備する。本実施形態においては、前記本発明軒形成部材５として、断面視Ｌ字状の金具を用いた。
【００２５】
‐脚部５１‐
前記脚部５１は、前記ビーム３に設けられた溝部３１に差し込まれて前記本発明軒形成部材５を前記ビーム３に固定する役割を担う。本実施形態においては、前記脚部５１の内面長さ方向に沿って厚さ調整のためのシリコン製シート５３が張り付けられている。これによって、前記シリコン製シート５３を含めた前記脚部５１の厚さ（Ｌ）は４．３ｍｍとなり、前記脚部５１が前記ビーム３の溝部３１に差し込まれた際にがたつき等が生じないようになされている。
【００２６】
‐軒部５０‐
前記軒部５０は、前記脚部５１の上部に設けられる。本実施形態において、前記軒部５０の幅（Ｍ）は２０ｍｍであり、前記脚部５１と前記軒部５０とがなす角の角度が９０度となされている。又、前記軒部５０の表面には、前記布体側面ファスナ４１と貼着しあう関係の面ファスナ（以下、「軒部側面ファスナ」と称する。）５２が設けられている。
【００２７】
図７（ａ）に示すように、前記本発明間仕切り構造１を構築するにあたっては、最上部を構成するビーム３に前記軒部５０が形成された前記枠体Ｆの一面側を前記布体４にて覆うことによって、壁面Ｗを構築する。前記枠体Ｆを前記布体４にて覆うにあたっては、まず、前記布体４の背面上端縁部に設けられた布体側面ファスナ４１と、前記軒部５０の表面に設けられた軒部側面ファスナ５２との貼着を行う。次いで、前記布体４の両側端縁部に設けられた爪部４２を前記ポール２の連結溝２０へ差し込めば、前記枠体Ｆを覆った状態で前記布体４を固定することができる。
【００２８】
図７（ｂ）に示すように、前記枠体Ｆの一面側を前記布体４にて覆えば、前記軒部５０の軒先は、前記布体４の上部背面に当接する。これにより、前記布体４によって構成される前記壁面Ｗが前記枠体Ｆから離間してなる本発明間仕切り構造１が構築される。
前記構成を有する本発明間仕切り構造１は、前記壁面Ｗが前記枠体Ｆから離間しているから、前記壁面Ｗに凹凸が生じることが是正されて、前記壁面Ｗの美観が向上する。そして、前記壁面Ｗを構成する前記布体４の正面側に印刷を施せば、壁面Ｗの広範囲にわたって装飾が施された本発明間仕切り構造１を構築することもできる。
【００２９】
又、本発明間仕切り構造１によって設営される本発明ブース１０は、イベント終了後にポール２やビーム３などの各パーツに解体し、解体したパーツを再利用に供することができる。しかも、本発明間仕切り構造１は、壁面Ｗを構成する前記布体４につき、折り畳み収納が可能であり、運搬性や保管性の点において非常に利便性が高いものとなる。
【００３０】
ところで、本実施形態においては、前記ビーム３に前記軒部５０を形成するにあたり、前記ビーム３に設けられた溝部３１に前記本発明軒形成部材５を取り付けているが、前記軒部５０は、必ずしも前記本発明軒形成部材５によって形成しなければならないものではない。要は、前記枠体Ｆの最上部を構成するビーム３の長さ方向に沿って、前記枠体Ｆの一面側に向かって張り出す軒部５０が設けられれば前記本発明間仕切り構造１を構築することができる。
【００３１】
ただし、本実施形態において用いた前記ポール２及び前記ビーム３は、現在、システムブースの設営の際に最も多く称されているシステムブース設営キット（商品名：オクタノルムシステム）に付帯のパーツであり、この種のキットに付帯されているビーム３には、パネルや照明等を支持するための溝部３１が設けられている。この溝部３１を利用して前記本発明軒形成部材５を取り付ければ、前記軒部５０の形成が容易になる。なお、本発明において、前記溝部３１に対してパネルや照明等を支持させるか否かは任意の決定事項である。
【００３２】
又、本実施形態においては、前記軒部５０の幅（Ｍ）を２０ｍｍとしているが、これは、ポール２の外径（Ｘ：４０ｍｍ）に応じて設定したものである。前記軒部５０の幅（Ｍ）は、ポール２の外径（Ｘ）の５０±１０％（より好ましくは、５０±５％）とすることが好ましい。
【００３３】
更に、本実施形態においては、前記軒部５０を形成するための本発明軒形成部材５につき、前記軒部５０と前記脚部５１とがなす角の角度を９０度としているが、本発明において、この角度は９０度に限定されるものではない。前記軒部５０と前記脚部５１とがなす角の角度は、９０±１０度（より好ましくは、９０Ａ±５度）とすることが好ましい。
【００３４】
なお、本実施形態においては、前記枠体Ｆの最上部を構成するビーム３にのみ軒部５０を設けているが、本発明においては、図８に示すように、更に、前記枠体Ｆの最下部を構成するビーム３の長さ方向に沿って、前記枠体Ｆの一面側に向かって張り出す別の軒部５０を設け、前記軒部５０の軒先によって布体４の下部背面を支持させることが好ましい態様となる。このように、布体４の上部背面に加えて下部背面も軒部５０の軒先で支持すれば、壁面Ｗの上下端辺のエッジがたち、壁面Ｗの平坦性及び美観がさらに向上する。
【００３５】
又、前記枠体Ｆの端辺を構成するポール２の長さ方向に沿って、更に別の軒部５０を設け、前記軒部５０の軒先によって布体４の端部背面を支持させれば、壁面Ｗの両端辺のエッジがたち、壁面Ｗの平坦性及び美観がより一層向上する。
【００３６】
ところで、本実施形態においては、前記枠体Ｆを前記布体４にて覆うにあたり、前記布体側面ファスナ４１と前記軒部側面ファスナ５２との貼着、及び前記爪部４２の前記連結溝２０への差し込みにより行っているが、前記枠体Ｆに対する前記布体４の固定手段は特に限定されない。前記枠体Ｆに対する前記布体４のその他の固定手段としては、例えば、接着、粘着、ビス止め、締結等を上げることができる。
【００３７】
なお、本発明はその精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３８】
本発明は、見本市会場や展示会場などの各種イベント会場の設営において好適に用いられる。
【符号の説明】
【００３９】
１  本発明間仕切り構造（間仕切り構造）
２  ポール
２０  連結溝
３  ビーム
３０  連結部
３１  溝部
４  布体
４１  布体側面ファスナ（面ファスナ）
４２  爪部
５  本発明軒部形成部材（軒形成部材）
５０  軒部
５１  脚部
５２  軒部側面ファスナ（面ファスナ）
５３  シリコン製シート
１０  本発明ブース
Ｆ    枠体
Ｗ    壁面
【図１】
2020041382.tif 000003
【図２】
2020041382.tif 000004
【図３】
2020041382.tif 000005
【図４】
2020041382.tif 000006
【図５】
2020041382.tif 000007
【図６】
2020041382.tif 000008
【図７】
2020041382.tif 000009
【図８】
2020041382.tif 000010